(57)【要約】【課題】外部機器との電力授受の柔軟性が高いモバイル機器を提供する。【解決手段】モバイル機器１が備える制御部４００は、第１外部機器７００及び第２外部機器８００のそれぞれの電源仕様に関する情報を参照し、バッテリモニタ抵抗３５０によってバッテリ電圧を検出し、第１抵抗１４０及び第２抵抗２４０によって第１ＤＣＤＣコンバータ１２０及び第２ＤＣＤＣコンバータ２２０のそれぞれの一端側における電流及び電圧を検出する。制御部４００は、これらに基づいて第１制御信号及び第２制御信号を生成する。第１ＤＣＤＣコンバータ１２０は第１制御信号に基づきＤＣ電力を変換し、負荷接続ノードＮＤ１に出力する。第２ＤＣＤＣコンバータ２２０は第２制御信号に基づきＤＣ電力を変換し、負荷接続ノードＮＤ１に出力する。【選択図】図１
2018110476.tif 000002
【特許請求の範囲】
【請求項１】
内蔵されたバッテリに蓄えられた電力によって、負荷接続ノードに接続された負荷を動作させることが可能なモバイル機器であって、
第１外部機器に至る第１ケーブルが接続され、該第１ケーブルに含まれるＤＣ電源線が接続される第１電源端子を少なくとも有する第１コネクタと、
一端側が前記第１コネクタ側に接続され他端側が前記負荷接続ノードに接続され、一端側と他端側との間でＤＣＤＣ変換を行う第１ＤＣＤＣコンバータと、
前記第１コネクタの前記第１電源端子と前記第１ＤＣＤＣコンバータの一端側との間に接続された第１抵抗と、
第２外部機器に至る第２ケーブルが接続され、該第２ケーブルに含まれるＤＣ電源線が接続される第２電源端子を少なくとも有する第２コネクタと、
一端側が前記第２コネクタ側に接続され他端側が前記負荷接続ノードに接続され、一端側と他端側との間でＤＣＤＣ変換を行う第２ＤＣＤＣコンバータと、
前記第２コネクタの前記第２電源端子と前記第２ＤＣＤＣコンバータの一端側との間に接続された第２抵抗と、
接地電位から前記負荷接続ノードにかけて順次直列に接続された前記バッテリ及びバッテリモニタ抵抗と、
前記第１ＤＣＤＣコンバータの制御端子、前記第１抵抗の両端、前記第２ＤＣＤＣコンバータの制御端子、前記第２抵抗の両端、及び、前記バッテリモニタ抵抗の両端にそれぞれ接続された制御部と、
前記第１外部機器の電源仕様に関する情報及び前記第２外部機器の電源仕様に関する情報を保持する外部機器情報保持部と、を備え、
前記制御部は、
前記バッテリモニタ抵抗の両端のうち少なくとも一方の端の電位に基づいてバッテリ電圧を検出し、更に、
前記外部機器情報保持部から前記第１外部機器の電源仕様に関する情報を参照し、前記第１抵抗の両端の電位に基づいて前記第１ＤＣＤＣコンバータの一端側における電流及び電圧を検出し、前記第１外部機器の電源仕様に関する情報、前記第１ＤＣＤＣコンバータの一端側における電流及び電圧、並びに前記バッテリ電圧に基づいて第１制御信号を生成し、該第１制御信号を前記第１ＤＣＤＣコンバータの制御端子に対して送出するとともに、
前記外部機器情報保持部から前記第２外部機器の電源仕様に関する情報を参照し、前記第２抵抗の両端の電位に基づいて前記第２ＤＣＤＣコンバータの一端側における電流及び電圧を検出し、前記第２外部機器の電源仕様に関する情報、前記第２ＤＣＤＣコンバータの一端側における電流及び電圧、並びに前記バッテリ電圧に基づいて第２制御信号を生成し、該第２制御信号を前記第２ＤＣＤＣコンバータの制御端子に対して送出するものであり、
前記第１ＤＣＤＣコンバータは、一端側又は他端側から入力したＤＣ電力を前記第１制御信号に基づき変換して、他端側又は一端側に出力するものであり、
前記第２ＤＣＤＣコンバータは、一端側又は他端側から入力したＤＣ電力を前記第２制御信号に基づき変換して、他端側又は一端側に出力するものである、
ことを特徴とするモバイル機器。
【請求項２】
請求項１に記載のモバイル機器において、
前記第１外部機器の電源仕様に関する情報には、前記第１外部機器が給電側となるか受電側となるかの別の情報、前記第１外部機器が給電側となる場合における出力電圧及び電流供給能力の情報、又は、前記第１外部機器が受電側となる場合における入力電圧及び前記第１外部機器が動作する上で必要な電流の情報が含まれ、
前記第２外部機器の電源仕様に関する情報には、前記第２外部機器が給電側となるか受電側となるかの別の情報、前記第２外部機器が給電側となる場合における出力電圧及び電流供給能力の情報、又は、前記第２外部機器が受電側となる場合における入力電圧及び前記第２外部機器が動作する上で必要な電流の情報が含まれることを特徴とするモバイル機器。
【請求項３】
請求項１又は２に記載のモバイル機器において、
前記第１外部機器から出力又は入力される第１ＤＣ電圧と前記第２外部機器から出力又は入力される第２ＤＣ電圧とは互いに異なる電圧であり、且つ、前記第１ＤＣ電圧と前記バッテリ電圧とは互いに異なる電圧であり、且つ、前記第２ＤＣ電圧と前記バッテリ電圧とは互いに異なる電圧である場合であっても、
前記第１コネクタ、前記第１ＤＣＤＣコンバータ及び前記第１抵抗からなる第１回路系統、並びに、前記第２コネクタ、前記第２ＤＣＤＣコンバータ及び前記第２抵抗からなる第２回路系統は互いに並行して動作するものである、
ことを特徴とするモバイル機器。
【請求項４】
請求項１〜３のいずれかに記載のモバイル機器において、
前記第１コネクタ、前記第１ＤＣＤＣコンバータ及び前記第１抵抗からなる第１回路系統は、該第１回路系統に接続される前記第１外部機器における給電側及び受電側の別による役割に応じて、受電モード又は給電モードの動作を行い、
前記第２コネクタ、前記第２ＤＣＤＣコンバータ及び前記第２抵抗からなる第２回路系統は、該第２回路系統に接続される前記第２外部機器における給電側及び受電側の別による役割に応じて、受電モード又は給電モードの動作を行うものである、
ことを特徴とするモバイル機器。
【請求項５】
請求項１〜４のいずれかに記載のモバイル機器において、
前記第１ＤＣＤＣコンバータ及び前記第２ＤＣＤＣコンバータは、それぞれ、対応するコイルの一端側に第１高電位側スイッチ及び第１低電位側スイッチが接続され、前記コイルの他端側に第２高電位側スイッチ及び第２低電位側スイッチが接続された昇降圧型のＤＣＤＣ変換回路であり、
前記制御部が出力する前記第１制御信号は、前記第１ＤＣＤＣコンバータが有する前記第１高電位側スイッチ、前記第１低電位側スイッチ、前記第２高電位側スイッチ及び前記第２低電位側スイッチに対する開閉のタイミングを規定することによって、前記コイルに給電するパルスのデューティ比を規定する制御信号であり、
前記制御部が出力する前記第２制御信号は、前記第２ＤＣＤＣコンバータが有する前記第１高電位側スイッチ、前記第１低電位側スイッチ、前記第２高電位側スイッチ及び前記第２低電位側スイッチに対する開閉のタイミングを規定することによって、前記コイルに給電するパルスのデューティ比を規定する制御信号である、
ことを特徴とするモバイル機器。
【請求項６】
請求項１〜５のいずれかに記載のモバイル機器において、
前記第１コネクタの前記第１電源端子と前記第１ＤＣＤＣコンバータの一端側との間には、前記第１抵抗と直列に接続された第１スイッチが設けられ、且つ、
前記第２コネクタの前記第２電源端子と前記第２ＤＣＤＣコンバータの一端側との間には、前記第２抵抗と直列に接続された第２スイッチが設けられた、
ことを特徴とするモバイル機器。
【請求項７】
請求項１〜６のいずれかに記載のモバイル機器において、
前記第１コネクタには、制御線が接続される第１制御端子が設けられ、
前記第２コネクタには、制御線が接続される第２制御端子が設けられ、
前記モバイル機器は、
前記第１制御端子と接続され、前記第１コネクタに接続される前記第１外部機器と通信する第１インターフェース・コントローラと、
前記第２制御端子と接続され、前記第２コネクタに接続される前記第２外部機器と通信する第２インターフェース・コントローラと、を更に備え、
前記第１インターフェース・コントローラは、所定のプロトコルを実行することにより、前記第１外部機器から前記第１外部機器の電源仕様に関する情報を取得して、取得した前記第１外部機器の電源仕様に関する情報を前記外部機器情報保持部に格納するものであり、
前記第２インターフェース・コントローラは、所定のプロトコルを実行することにより、前記第２外部機器から前記第２外部機器の電源仕様に関する情報を取得して、取得した前記第２外部機器の電源仕様に関する情報を前記外部機器情報保持部に格納するものである、
ことを特徴とするモバイル機器。
【請求項８】
請求項７に記載のモバイル機器において、
前記第１コネクタ及び前記第２コネクタは、ＵＳＢ  Ｔｙｐｅ−Ｃ規格に準拠するものであり、
前記第１コネクタの前記第１制御端子及び前記第２コネクタの前記第２制御端子は、ＵＳＢ  Ｔｙｐｅ−Ｃ規格におけるＣＣ線が接続される端子であり、
前記第１インターフェース・コントローラは、ＵＳＢ  Ｐｏｗｅｒ  Ｄｅｌｉｖｅｒｙ規格に準拠したネゴシエーションを実行することにより、前記第１外部機器から前記第１外部機器の電源仕様に関する情報を取得し、取得した前記第１外部機器の電源仕様に関する情報を前記外部機器情報保持部に格納するものであり、
前記第２インターフェース・コントローラは、ＵＳＢ  Ｐｏｗｅｒ  Ｄｅｌｉｖｅｒｙ規格に準拠したネゴシエーションを実行することにより、前記第２外部機器から前記第２外部機器の電源仕様に関する情報を取得し、取得した前記第２外部機器の電源仕様に関する情報を前記外部機器情報保持部に格納するものである、
ことを特徴とするモバイル機器。
【請求項９】
第１外部機器に至る第１ケーブルが接続され、該第１ケーブルに含まれるＤＣ電源線が接続される第１電源端子を少なくとも有する第１コネクタと、
一端側が前記第１コネクタ側に接続され他端側が前記負荷接続ノードに接続され、一端側と他端側との間でＤＣＤＣ変換を行う第１ＤＣＤＣコンバータと、
前記第１コネクタの前記第１電源端子と前記第１ＤＣＤＣコンバータの一端側との間に接続された第１抵抗と、
第２外部機器に至る第２ケーブルが接続され、該第２ケーブルに含まれるＤＣ電源線が接続される第２電源端子を少なくとも有する第２コネクタと、
一端側が前記第２コネクタ側に接続され他端側が前記負荷接続ノードに接続され、一端側と他端側との間でＤＣＤＣ変換を行う第２ＤＣＤＣコンバータと、
前記第２コネクタの前記第２電源端子と前記第２ＤＣＤＣコンバータの一端側との間に接続された第２抵抗と、
接地電位から前記負荷接続ノードにかけて順次直列に接続された前記バッテリ及びバッテリモニタ抵抗と、
前記第１外部機器の電源仕様に関する情報及び前記第２外部機器の電源仕様に関する情報を保持する外部機器情報保持部と、
を備えたモバイル機器を制御する制御回路であって、
前記制御回路は、
前記第１ＤＣＤＣコンバータの制御端子、前記第１抵抗の両端、前記第２ＤＣＤＣコンバータの制御端子、前記第２抵抗の両端、及び、前記バッテリモニタ抵抗の両端にそれぞれ接続されるものであり、
前記外部機器情報保持部から前記第１外部機器の電源仕様に関する情報を参照し、前記第１抵抗の両端の電位に基づいて前記第１ＤＣＤＣコンバータの一端側における電流及び電圧を検出し、前記バッテリモニタ抵抗の両端のうち少なくとも一方の端の電位に基づいてバッテリ電圧を検出し、前記第１外部機器の電源仕様に関する情報、前記第１ＤＣＤＣコンバータの一端側における電流及び電圧、並びに前記バッテリ電圧に基づいて第１制御信号を生成し、該第１制御信号を前記第１ＤＣＤＣコンバータの制御端子に対して送出するとともに、
前記外部機器情報保持部から前記第２外部機器の電源仕様に関する情報を参照し、前記第２抵抗の両端の電位に基づいて前記第２ＤＣＤＣコンバータの一端側における電流及び電圧を検出し、前記バッテリモニタ抵抗の両端のうち少なくとも一方の端の電位に基づいて前記バッテリ電圧を検出し、前記第２外部機器の電源仕様に関する情報、前記第２ＤＣＤＣコンバータの一端側における電流及び電圧、並びに前記バッテリ電圧に基づいて第２制御信号を生成し、該第２制御信号を前記第２ＤＣＤＣコンバータの制御端子に対して送出するものである、
ことを特徴とする制御回路。
【発明の詳細な説明】
【技術分野】
【０００１】
本発明は、モバイル機器及び制御回路に関する。
【背景技術】
【０００２】
近年、シリアルバスは、データ通信を目的として使用される場合のみならず、電力の授受を目的として使用される場合が増えている。例えば、ＵＳＢ（Universal Serial BUS）規格においては、ＤＣ（Direct Current）電源線（ＶＢＵＳ線）及び接地線（ＧＮＤ線）を活用して給電側の機器から受電側の機器に電力を供給する応用例がみられる。
しかし、給電側の機器の電力供給能力が低い場合、受電側の機器は、受電側の機器が必要としている電力量（内蔵バッテリへの充電、負荷の動作等に最低限必要な電力量）を受け取ることができない場合がある。
【０００３】
この問題を解決するために、複数のコネクタから電力を受け取り、それぞれのコネクタを経由して受け取った電力を集約して、１つのコネクタから電力を出力する電力アダプタが提案されている（例えば、特許文献１及び特許文献２参照。）。
【０００４】
特許文献１には、複数の受電用コネクタ（特許文献１においてはメインＵＳＢコネクタ１６及びアシストＵＳＢコネクタ１８。以下、括弧内は各特許文献における名称及び符号を指す。）から電力を受け取り、１つの経路に電力を集約し、１つの給電用コネクタ（ドライブＵＳＢコネクタ２２）に電力を出力する電力アダプタ（パワーアダプタ１０）が記載されている。
しかし、この電力アダプタは、基本的に複数の受電用コネクタに対して同一の電圧（ＤＣ５Ｖ）が供給されることが前提となっており、意図的に互いに異なる電圧を入力することは想定していない。したがって、特許文献１に記載された電力アダプタでは、外部機器の電源仕様（供給できる電圧、電力等）によっては外部機器を電力アダプタに接続できない場合も生じることとなり、外部機器の電源仕様のバリエーションに対し柔軟に対応することができない。
また、特許文献１に記載された電力アダプタは、受電用コネクタ（１６，１８）における入力電圧が給電用コネクタ（２２）における出力電圧よりも小さい場合には、逆流防止のため、ＭＯＳ−ＦＥＴ（Metal-Oxide-Semiconductor Field Effect Transistor）により電力の供給経路を切断する構成となっている（特許文献１の［請求項４］、００７８］〜［００９４］等参照。）。したがって、複数の受電用コネクタ（１６，１８）から受け取った電力を定常的に同時並行して給電用コネクタ（２２）へ供給することはできない。
さらに、特許文献１に記載された電力アダプタにおいて、電力が出力される給電用コネクタ（２２）は、依然として１つのＵＳＢコネクタ（ポート）であり、規格で定められた１ポート当たりの電力制限（当該ポートを流通することができる電力量の上限）を超えることができない。このため、電力アダプタのコネクタ（ポート）を規格に準拠した形で提供する場合、電力を受け取る側の機器（特許文献１においてはストレージサブシステム３６）が必要としている電力を充足することができない虞がある。
【０００５】
特許文献２には、複数の入力ポート（１０１，１０３，１０５）から電力を受け取り、１つの出力ポート（１０９）に電力を出力する電力アダプタが記載されている。
しかし、この電力アダプタは、特許文献１に記載された電力アダプタと同様に、基本的に複数の入力ポート間で同一の電圧が供給されることが前提となっており、意図的に互いに異なる電圧を入力することは想定していない。したがって、外部機器の電源仕様によっては外部機器を電力アダプタに接続できない場合も生じることとなり、外部機器の電源仕様のバリエーションに対し柔軟に対応することができない。
また、特許文献２に記載された電力アダプタは、意図せず複数の入力ポート間で異なる電圧が入力された場合に、低い電圧が入力された入力ポートに関する電力の供給経路を切断する構成となっている（特許文献２の［００３０］等参照。）。したがって、複数の入力ポートにおいて互いに異なる電圧が入力されたときには、高い電圧が入力された入力ポートの電力しか出力ポートには供給されず、総ての経路からの電力を集約して出力ポートに供給することができない。
さらに、特許文献２に記載された電力アダプタにおいては、入力ポートに入力される電圧は、そのまま同じ電圧で出力ポートに出力される構成となっている。もし仮に、入力ポートに接続される外部機器（給電側の機器）が出力する電圧と、出力ポートに接続される外部機器（受電側の機器）が入力する電圧とが異なっている場合、システムとして不具合を生じることになる。つまり、特許文献２に記載された電力アダプタにおいては、入力ポートに接続される外部機器（給電側の機器）が出力する電圧と、出力ポートに接続される外部機器（受電側の機器）が入力する電圧とは、常に同一にする必要がある。このため、特許文献２に記載された電力アダプタでは、接続先となる外部機器の電源仕様（特に出力する電圧）が様々なものとなっている場合、この電源仕様のバリエーションに対し柔軟に対応することができない。
【０００６】
そこで、給電側の機器が出力する電圧と、受電側の機器で必要とされる電圧（内蔵されたバッテリ又は負荷で用いられる電圧）との間で差がある場合を考慮したモバイル機器も検討されている。
図８は、従来のモバイル機器９００を説明するために示す図である。なお、符号７１６及び８１６は接地線を、９１６は第１接地端子を、９２６は第２接地端子をそれぞれ示している。
【０００７】
従来のモバイル機器９００は、図８に示すように、内蔵されたバッテリ９３０に蓄えられた電力によって、負荷接続ノードＮＤ１に接続された負荷Ｌを動作させることが可能なモバイル機器９００であって、第１外部機器７００に至る第１ケーブル７１０が接続され、該第１ケーブル７１０に含まれるＤＣ電源線７１２が接続される第１電源端子９１２を少なくとも有する第１コネクタ９１０と、第２外部機器８００に至る第２ケーブル８１０が接続され、該第２ケーブル８１０に含まれるＤＣ電源線８１２が接続される第２電源端子９２２を少なくとも有する第２コネクタ９２０と、一端側が第１コネクタ９１０又は第２コネクタ９２０の側に接続され、他端側が負荷接続ノードＮＤ１に接続され、一端側と他端側との間でＤＣ電力の変換を行うＤＣＤＣコンバータ９５０と、第１電源端子９１２、第２電源端子９２２及びＤＣＤＣコンバータ９５０の一端側に接続された切替スイッチ９６０と、切替スイッチ９６０に対し切替信号を出力し、第１外部機器７００からの電力の供給経路及び第２外部機器８００からの電力の供給経路のうち何れか１つの経路を選択し、ＤＣＤＣコンバータ９５０の一端側に接続する制御を行う制御部９４０と、を備える。
【０００８】
従来のモバイル機器９００によれば、ＤＣＤＣコンバータ９５０を備えるため、第１コネクタ９１０又は第２コネクタ９２０に入力された電圧を、内蔵されたバッテリ９３０又は負荷Ｌで用いられる所望の電圧に変換して負荷接続ノードＮＤ１に出力することができる。このため、入力される電圧と内蔵されたバッテリ又は負荷で用いられる電圧との間に差がある場合でも、電力授受を行うことができる。
【先行技術文献】
【特許文献】
【０００９】
【特許文献１】特開２００９−７５９０２号公報
【特許文献２】特表２０１４−５２８６８７号公報
【非特許文献】
【００１０】
【非特許文献１】USB Type-C Specification Release 1.2
【非特許文献２】USB_PD_R3_0 V1.0a 20160325
【発明の概要】
【発明が解決しようとする課題】
【００１１】
しかしながら、従来のモバイル機器９００においては、内蔵されたバッテリ９３０又は負荷Ｌが享受できる電力は、切替スイッチ９６０によって選択された１つの電力の供給経路からの電力に限られてしまう。バッテリ９３０及び負荷Ｌの仕様、動作状況等にも依るが、バッテリ９３０及び負荷Ｌが必要としている電力量を受け取ることができず、全体として電力不足に陥ってしまう虞がある。
【００１２】
本発明は上記事情に鑑みてなされたものであり、従来のモバイル機器に比べ、外部機器との電力授受の柔軟性が高いモバイル機器を提供することを目的とする。また、従来のモバイル機器に比べ、より安全性が高い状況で、大きな電力を受け取ることが可能であり、且つ、内蔵バッテリを高速充電することが可能なモバイル機器を提供することを目的とする。
【課題を解決するための手段】
【００１３】
［１］本発明のモバイル機器は、内蔵されたバッテリに蓄えられた電力によって、負荷接続ノードに接続された負荷を動作させることが可能なモバイル機器であって、第１外部機器に至る第１ケーブルが接続され、該第１ケーブルに含まれるＤＣ電源線が接続される第１電源端子を少なくとも有する第１コネクタと、一端側が前記第１コネクタ側に接続され他端側が前記負荷接続ノードに接続され、一端側と他端側との間でＤＣＤＣ変換を行う第１ＤＣＤＣコンバータと、前記第１コネクタの前記第１電源端子と前記第１ＤＣＤＣコンバータの一端側との間に接続された第１抵抗と、第２外部機器に至る第２ケーブルが接続され、該第２ケーブルに含まれるＤＣ電源線が接続される第２電源端子を少なくとも有する第２コネクタと、一端側が前記第２コネクタ側に接続され他端側が前記負荷接続ノードに接続され、一端側と他端側との間でＤＣＤＣ変換を行う第２ＤＣＤＣコンバータと、前記第２コネクタの前記第２電源端子と前記第２ＤＣＤＣコンバータの一端側との間に接続された第２抵抗と、接地電位から前記負荷接続ノードにかけて順次直列に接続された前記バッテリ及びバッテリモニタ抵抗と、前記第１ＤＣＤＣコンバータの制御端子、前記第１抵抗の両端、前記第２ＤＣＤＣコンバータの制御端子、前記第２抵抗の両端、及び、前記バッテリモニタ抵抗の両端にそれぞれ接続された制御部と、前記第１外部機器の電源仕様に関する情報及び前記第２外部機器の電源仕様に関する情報を保持する外部機器情報保持部と、を備え、前記制御部は、前記バッテリモニタ抵抗の両端のうち少なくとも一方の端の電位に基づいてバッテリ電圧を検出し、更に、前記外部機器情報保持部から前記第１外部機器の電源仕様に関する情報を参照し、前記第１抵抗の両端の電位に基づいて前記第１ＤＣＤＣコンバータの一端側における電流及び電圧を検出し、前記第１外部機器の電源仕様に関する情報、前記第１ＤＣＤＣコンバータの一端側における電流及び電圧、並びに前記バッテリ電圧に基づいて第１制御信号を生成し、該第１制御信号を前記第１ＤＣＤＣコンバータの制御端子に対して送出するとともに、前記外部機器情報保持部から前記第２外部機器の電源仕様に関する情報を参照し、前記第２抵抗の両端の電位に基づいて前記第２ＤＣＤＣコンバータの一端側における電流及び電圧を検出し、前記第２外部機器の電源仕様に関する情報、前記第２ＤＣＤＣコンバータの一端側における電流及び電圧、並びに前記バッテリ電圧に基づいて第２制御信号を生成し、該第２制御信号を前記第２ＤＣＤＣコンバータの制御端子に対して送出するものであり、前記第１ＤＣＤＣコンバータは、一端側又は他端側から入力したＤＣ電力を前記第１制御信号に基づき変換して、他端側又は一端側に出力するものであり、前記第２ＤＣＤＣコンバータは、一端側又は他端側から入力したＤＣ電力を前記第２制御信号に基づき変換して、他端側又は一端側に出力するものである、ことを特徴とする。
【００１４】
本発明のモバイル機器は、第１外部機器の電源仕様に関する情報及び第２外部機器の電源仕様に関する情報を保持する外部機器情報保持部、バッテリモニタ抵抗、第１抵抗、第２抵抗、制御部、第１ＤＣＤＣコンバータ及び第２ＤＣＤＣコンバータを備える。
制御部は、バッテリモニタ抵抗の両端のうち少なくとも一方の端の電位に基づいてバッテリ電圧を検出し、第１外部機器の電源仕様に関する情報を参照する。そして、第１外部機器の電源仕様に関する情報、前記第１ＤＣＤＣコンバータの一端側における電流及び電圧、並びに前記バッテリ電圧に基づいて第１制御信号を生成する。第１ＤＣＤＣコンバータは、一端側又は他端側から入力したＤＣ電力を第１制御信号に基づき変換して、他端側又は一端側に出力する。上記制御部の構成及び動作は、第１外部機器に対応した回路系統の構成及び動作であるが、本発明のモバイル機器は、第２外部機器についても上記と同様な構成を備える。
つまり、本発明のモバイル機器は、第１外部機器に対応して第１コネクタ、第１抵抗及び第１ＤＣＤＣコンバータからなる第１回路系統と、外部機器情報保持部と、これらを参照しつつ制御する制御部と、第１ＤＣＤＣコンバータとを備えている。同様に、第２外部機器に対応して第２コネクタ、第２抵抗及び第２ＤＣＤＣコンバータからなる第２回路系統と、上記外部機器情報保持部と、これらを参照しつつ制御する上記制御部と、第２ＤＣＤＣコンバータとを備えている。
このように、本発明のモバイル機器は、外部に接続される第１外部機器及び第２外部機器に対応して複数の回路系統が準備されており、各回路系統はそれぞれの回路系統に接続される外部機器の電源に関する情報に基づいて互いに独立してＤＣＤＣ変換を行って、実質的に同じ電圧を負荷接続ノードに出力することができる。
このようにして、本発明によれば、出力電圧が互いに異なる第１外部機器及び第２外部機器を、同時に第１コネクタ及び第２コネクタにそれぞれ接続することができ、従来のモバイル機器に比べ、外部機器との電力授受の柔軟性が高いモバイル機器を提供することができる。また、第１外部機器及び第２外部機器から受け取った電力を、同時並行的に負荷接続ノードに供給することができ、従来のモバイル機器に比べ、大きな電力を受け取ることが可能となる。ひいては内蔵バッテリを高速充電することが可能となる。
なお、ここでは、第１回路系統を及び第２回路系統が共に受電モードとして動作する場合を例に説明したが、これに限られない。後述するように、第１回路系統及び第２回路系統は、それぞれ任意に受電モード又は給電モードで動作することができる。
【００１５】
また、本発明のモバイル機器において、制御部は、外部機器情報保持部から第１外部機器の電源仕様に関する情報を参照し、第１抵抗の両端の電位に基づいて第１ＤＣＤＣコンバータの一端側における電流及び電圧を検出し、第１外部機器の電源仕様に関する情報、第１ＤＣＤＣコンバータの一端側における電流及び電圧に基づいて第１制御信号を生成する。
このような構成となっているため、例えば、第１回路系統が受電モードで動作しているとき、制御部は、第１ＤＣＤＣコンバータの一端側における電流（第１抵抗に流れる電流）をモニタリングし、当該第１抵抗に流れる電流が、第１外部機器情報として保持されている定格電流を上回らないよう監視することができる。仮にこれを上回るときには、第１外部機器から引き込むＤＣ電力の量を抑えるような第１制御信号を生成して、ＤＣＤＣ変換を行うよう制御することができる。第１回路系統が給電モードで動作しているときも、同様の手法により、第１外部機器とモバイル機器との間で授受するＤＣ電力の量を調整することができる。また、第２回路系統についても同様である。
このようにして、本発明のモバイル機器によれば、従来のモバイル機器に比べ、より安全性が高い状況で電力授受を行うことができる。
【００１６】
なお、ここで、「第１回路系統」は、第１外部機器に対応して構成された回路系統であって、第１コネクタ、第１抵抗及び第１ＤＣＤＣコンバータからなる。しかしこれに限定されず、第１外部機器との電力授受に関係する限りにおいては、制御部の一部、外部機器情報保持部の一部、第１スイッチ（後述する。）等も含まれるものとする。「第２回路系統」についても、上記「第１回路系統」と同様の概念とする。なお、第１回路系統及び第２回路系統の一般を指して、単に「回路系統」ということがある。
「受電モード」とは、外部機器（第１外部機器又は第２外部機器）が当該回路系統（第１回路系統又は第２回路系統）と接続され、当該回路系統が外部機器からＤＣ電力を受け取る立場となって動作するモードをいう。「給電モード」とは、外部機器（第１外部機器又は第２外部機器）が当該回路系統（第１回路系統又は第２回路系統）と接続され、当該回路系統が外部機器へＤＣ電力を供給する立場となって動作するモードをいう。
【００１７】
［２］本発明のモバイル機器において、前記第１外部機器の電源仕様に関する情報には、前記第１外部機器が給電側となるか受電側となるかの別の情報、前記第１外部機器が給電側となる場合における出力電圧及び電流供給能力の情報、又は、前記第１外部機器が受電側となる場合における入力電圧及び前記第１外部機器が動作する上で必要な電流の情報が含まれ、前記第２外部機器の電源仕様に関する情報には、前記第２外部機器が給電側となるか受電側となるかの別の情報、前記第２外部機器が給電側となる場合における出力電圧及び電流供給能力の情報、又は、前記第２外部機器が受電側となる場合における入力電圧及び前記第２外部機器が動作する上で必要な電流の情報が含まれることが好ましい。
【００１８】
外部機器情報保持部に保持される第１外部機器の電源仕様に関する情報に、第１外部機器が給電側となるか受電側となるかの別の情報が含まれるため、この情報を予め参照することにより電力の授受を円滑に開始することができる。
また、出力電圧に関する情報及び入力電圧に関する情報が含まれるため、接続先となる第１外部機器の電圧に関する仕様がまちまちであったとしても、これらの情報を参照することにより、ＤＣＤＣ変換をより適切に行うことができる。
さらに、出力電圧及び電源供給電力に関する情報（電流容量等）等が含まれるため、これらの情報を参照しつつ、授受する電圧及び電流を管理することにより、定格に比較的近い大きさまで電力の授受を行うことも可能となる。マージンを確保し過ぎることにより授受できる電力量が少なくなるといったこともない。
さらに、出力電圧及び電源供給電力に関する情報、又は、入力電圧及び第１外部機器が動作する上で必要な電流の情報等が含まれるため、これらの情報を参照しつつ、授受する電圧、電流等を管理することにより、定格を上回るような電力の授受を回避することができる。このため、より安全性が高い状況で、大きな電力を受け取ることができる。
なお、第２外部機器の電源仕様に関する情報についても、上記第１外部機器の電源仕様に関する情報についてと同様の作用・効果を奏する。
加えて、各外部機器についての出力電圧及び電流供給能力、又は、入力電圧及び第１外部機器が動作する上で必要な電流を、それぞれ勘案することにより、第１外部機器との間で授受する電力と第２外部機器との間で授受する電力との配分を計画的に調整することも可能となる。よって、より安全性が高い状況で、内蔵バッテリを高速充電をすることも可能となる。
【００１９】
［３］本発明のモバイル機器は、前記第１外部機器から出力又は入力される第１ＤＣ電圧と、前記第２外部機器から出力又は入力される第２ＤＣ電圧と、は互いに異なる電圧であり、且つ、前記第１ＤＣ電圧と前記バッテリ電圧とは互いに異なる電圧であり、且つ、前記第２ＤＣ電圧と前記バッテリ電圧とは互いに異なる電圧である場合であっても、前記第１コネクタ、前記第１ＤＣＤＣコンバータ及び前記第１抵抗からなる第１回路系統、並びに、前記第２コネクタ、前記第２ＤＣＤＣコンバータ及び前記第２抵抗からなる第２回路系統は互いに並行して動作するものである、ことを特徴とする。
【００２０】
このような構成となっているため、複数の外部機器から出力又は入力されるＤＣ電圧が互いに同一の電圧でなくても、これら複数の外部機器を当該モバイル機器に接続することができる。且つまた、複数の外部機器から出力又は入力されるＤＣ電圧がモバイル機器で用いる電圧（ここではバッテリ電圧）と同一の電圧でなくても、これら複数の外部機器を当該モバイル機器に接続することができる。したがって、従来のモバイル機器に比べ、外部機器との電力授受の柔軟性が高い（別言すると接続の柔軟性が高い）モバイル機器を提供することができる。
また、第１回路系統及び第２回路系統は互いに並行して動作するので、従来のモバイル機器に比べ、大きな電力を受け取ることが可能であり、且つ、内蔵バッテリを高速充電することが可能なモバイル機器を提供することができる。
なお、本発明のモバイル機器は、出力又は入力されるＤＣ電圧が互いに同一の電圧となる関係の複数の外部機器が接続されてもよい。また、モバイル機器で用いる電圧（ここではバッテリ電圧）と同一の電圧を出力又は入力する外部機器が接続されてもよい。
【００２１】
［４］本発明のモバイル機器は、前記第１コネクタ、前記第１ＤＣＤＣコンバータ及び前記第１抵抗からなる第１回路系統は、該第１回路系統に接続される前記第１外部機器における給電側及び受電側の別による役割に応じて、受電モード又は給電モードの動作を行い、前記第２コネクタ、前記第２ＤＣＤＣコンバータ及び前記第２抵抗からなる第２回路系統は、該第２回路系統に接続される前記第２外部機器における給電側及び受電側の別による役割に応じて、受電モード又は給電モードの動作を行うものである、ことを特徴とする。
【００２２】
このような構成となっているため、それぞれの回路系統に接続されるそれぞれの外部機器が、給電側の役割で動作するか／受電側の役割で動作するかの別に依らず、外部機器をモバイル機器に接続することができる。
また、各回路系統は、接続された外部機器の役割に応じて、互いに独立して受電モード又は給電モードによる動作を行うものである。このため、接続する複数の外部機器の総てを給電側とすることもできるし、総てを受電側とすることもできるし、一部の外部機器を給電側とし残余の外部機器を受電側とすることもできる。
こうしたことから、従来のモバイル機器に比べ、外部機器との電力授受の柔軟性が高いモバイル機器を提供することができる。
【００２３】
［５］本発明のモバイル機器において、前記第１ＤＣＤＣコンバータ及び前記第２ＤＣＤＣコンバータは、それぞれ、対応するコイルの一端側に第１高電位側スイッチ（ハイサイドスイッチ）及び第１低電位側スイッチ（ローサイドスイッチ）が接続され、前記コイルの他端側に第２高電位側スイッチ及び第２低電位側スイッチが接続された昇降圧型のＤＣＤＣ変換回路であり、前記制御部が出力する前記第１制御信号は、前記第１ＤＣＤＣコンバータが有する前記第１高電位側スイッチ、前記第１低電位側スイッチ、前記第２高電位側スイッチ及び前記第２低電位側スイッチに対する開閉のタイミングを規定することによって、前記コイルに給電するパルスのデューティ比を規定する制御信号であり、前記制御部が出力する前記第２制御信号は、前記第２ＤＣＤＣコンバータが有する前記第１高電位側スイッチ、前記第１低電位側スイッチ、前記第２高電位側スイッチ及び前記第２低電位側スイッチに対する開閉のタイミングを規定することによって、前記コイルに給電するパルスのデューティ比を規定する制御信号である、ことが好ましい。
【００２４】
第１ＤＣＤＣコンバータは、コイルの一端側に第１高電位側スイッチ（ハイサイドスイッチ）及び第１低電位側スイッチ（ローサイドスイッチ）が接続され、コイルの他端側に第２高電位側スイッチ及び第２低電位側スイッチが接続された昇降圧型のＤＣＤＣ変換回路で構成されている。同様に、第２ＤＣＤＣコンバータは、コイルの一端側に第１高電位側スイッチ及び第１低電位側スイッチが接続され、コイルの他端側に第２高電位側スイッチ及び第２低電位側スイッチが接続された昇降圧型のＤＣＤＣ変換回路で構成されている。
このような構成となっているため、第１ＤＣＤＣコンバータ及び第２ＤＣＤＣコンバータは、一端側から他端側にかけて、又は、他端側から一端側にかけて、昇圧も降圧も可能となる。よって、外部機器の電圧がバッテリ電圧に対して大きい場合でも小さい場合でも、柔軟に様々な電源仕様の外部機器を接続することができる。  
また、このような構成となっているため、外部機器が給電側の役割で動作する場合にモバイル機器の当該回路系統は受電側の役割で動作することができ、外部機器が受電側の役割で動作する場合にモバイル機器の当該回路系統は給電側の役割で動作することができる。こうして当該回路系統は受電も給電も可能となる。このため、本発明のモバイル機器は、給電したい外部機器／受電したい外部機器を任意に接続することができ、柔軟なシステム構成が可能となる。
【００２５】
第１制御信号及び第２制御信号は、開閉のタイミングを規定することによって、コイルに給電するパルスのデューティ比を規定する制御信号である。
コイルの両端に接続された４つのスイッチの開閉を制御するパルス状の信号について、当該パルスのデューティ比を適宜変更することにより、当該ＤＣＤＣコンバータの出力電圧を変更することができる《ＰＷＭ（Pulse Width Modulation）によるスイッチングレギュレータ方式》。
制御部（例えば、プロセッサ、コントローラ、ハードウェアロジック等によって実現される）にとって、デジタル的なパルスについてデューティ比を変更するこの方法は、利便性が高く的確な制御を行い易い。また、入力電圧の変動に対しても、出力電圧の修正制御を行い易く、出力電圧の安定化にも寄与することができる。
【００２６】
［６］本発明のモバイル機器において、前記第１コネクタの前記第１電源端子と前記第１ＤＣＤＣコンバータの一端側との間には、前記第１抵抗と直列に接続された第１スイッチが設けられ、且つ、前記第２コネクタの前記第２電源端子と前記第２ＤＣＤＣコンバータの一端側との間には、前記第２抵抗と直列に接続された第２スイッチが設けられた、ことが好ましい。
【００２７】
上記のように、第１回路系統には、第１コネクタと第１ＤＣＤＣコンバータの間に第１スイッチが設けられているため、第１回路系統において異常を検知した際には、第１スイッチを開とする制御を行い、第１外部機器と第１ＤＣＤＣコンバータとの間のＤＣ電力の授受を遮断することができる。第２回路系統に設けられた第２スイッチについても同様である。
このような構成となっているため、本発明に係るモバイル機器は、より安全性が高い状況で、電力の授受を行うことができる。
【００２８】
［７］本発明のモバイル機器において、前記第１コネクタには、制御線が接続される第１制御端子が設けられ、前記第２コネクタには、制御線が接続される第２制御端子が設けられ、前記モバイル機器は、前記第１制御端子と接続され、前記第１コネクタに接続される前記第１外部機器と通信する第１インターフェース・コントローラと、前記第２制御端子と接続され、前記第２コネクタに接続される前記第２外部機器と通信する第２インターフェース・コントローラと、を更に備え、前記第１インターフェース・コントローラは、所定のプロトコルを実行することにより、前記第１外部機器から前記第１外部機器の電源仕様に関する情報を取得して、取得した前記第１外部機器の電源仕様に関する情報を前記外部機器情報保持部に格納するものであり、前記第２インターフェース・コントローラは、所定のプロトコルを実行することにより、前記第２外部機器から前記第２外部機器の電源仕様に関する情報を取得して、取得した前記第２外部機器の電源仕様に関する情報を前記外部機器情報保持部に格納するものである、ことが好ましい。
【００２９】
第１インターフェース・コントローラは、制御線を介した第１外部機器との所定のプロトコルによる通信により、第１外部機器の電源仕様に関する情報を取得して、外部機器情報保持部に格納（更新）する。これにより、新たな第１外部機器が第１コネクタに接続された場合にも、新たな第１外部機器の電源仕様に関する情報を用いて、ＤＣ電力の授受を行うことができる。同様に、第２インターフェース・コントローラは、制御線を介した第２外部機器との所定のプロトコルによる通信により、第２外部機器の電源仕様に関する情報を取得して、外部機器情報保持部に格納（更新）する。これにより、新たな第２外部機器が第２コネクタに接続された場合にも、新たな第２外部機器の電源仕様に関する情報を用いて、ＤＣ電力の授受を行うことができる。
これにより、従来のモバイル機器に比べ、外部機器との電力授受の柔軟性が高いモバイル機器となる。
【００３０】
［８］［７］に記載のモバイル機器において、前記第１コネクタ及び前記第２コネクタは、ＵＳＢ  Ｔｙｐｅ−Ｃ規格に準拠するものであり、前記第１コネクタの前記第１制御端子及び前記第２コネクタの前記第２制御端子は、ＵＳＢ  Ｔｙｐｅ−Ｃ規格におけるＣＣ線が接続される端子であり、前記第１インターフェース・コントローラは、ＵＳＢ  Ｐｏｗｅｒ  Ｄｅｌｉｖｅｒｙ規格に準拠したネゴシエーションを実行することにより、前記第１外部機器から前記第１外部機器の電源仕様に関する情報を取得し、取得した前記第１外部機器の電源仕様に関する情報を前記外部機器情報保持部に格納するものであり、前記第２インターフェース・コントローラは、ＵＳＢ  Ｐｏｗｅｒ  Ｄｅｌｉｖｅｒｙ規格に準拠したネゴシエーションを実行することにより、前記第２外部機器から前記第２外部機器の電源仕様に関する情報を取得し、取得した前記第２外部機器の電源仕様に関する情報を前記外部機器情報保持部に格納するものである、ことが好ましい。
【００３１】
ＵＳＢ  Ｔｙｐｅ−Ｃ規格によれば、コネクタには電源線（ＶＢＵＳ線）とは別に制御線（ＣＣ線）が設定されている。したがって、［７］に記載のモバイル機器を実施するに当たり、ＵＳＢ  Ｔｙｐｅ−Ｃ規格に準拠した第１コネクタ及び第２コネクタを導入することは、外部機器にとっても、当該モバイル機器にとっても、利便性が高いこととなる。
また、ＵＳＢ  Ｐｏｗｅｒ  Ｄｅｌｉｖｅｒｙ規格によれば、接続先の外部機器との間で実行されるネゴシエーションにおいて、接続先の外部機器の電源仕様に関する情報をやり取りすることができる。したがって、［７］に記載のモバイル機器を実施するに当たり、ＵＳＢ  Ｐｏｗｅｒ  Ｄｅｌｉｖｅｒｙ規格に準拠したネゴシエーションを実行することは、外部機器にとっても、当該モバイル機器にとっても、利便性が高いこととなる。
さらに、外部機器がＵＳＢ  Ｔｙｐｅ−Ｃ規格及びＵＳＢ  Ｐｏｗｅｒ  Ｄｅｌｉｖｅｒｙ規格に準拠するものであれば、基本的には本発明に係るモバイル機器と接続できる。モバイル機器を上記のように構成することにより、接続先となる外部機器の選択肢が拡がることも期待できる。したがって、本発明によれば、従来のモバイル機器に比べ、外部機器との電力授受の柔軟性が高いモバイル機器を提供することができる。
【００３２】
［９］本発明の制御回路は、第１外部機器に至る第１ケーブルが接続され、該第１ケーブルに含まれるＤＣ電源線が接続される第１電源端子を少なくとも有する第１コネクタと、  一端側が前記第１コネクタ側に接続され他端側が前記負荷接続ノードに接続され、一端側と他端側との間でＤＣＤＣ変換を行う第１ＤＣＤＣコンバータと、前記第１コネクタの前記第１電源端子と前記第１ＤＣＤＣコンバータの一端側との間に接続された第１抵抗と、  第２外部機器に至る第２ケーブルが接続され、該第２ケーブルに含まれるＤＣ電源線が接続される第２電源端子を少なくとも有する第２コネクタと、一端側が前記第２コネクタ側に接続され他端側が前記負荷接続ノードに接続され、一端側と他端側との間でＤＣＤＣ変換を行う第２ＤＣＤＣコンバータと、前記第２コネクタの前記第２電源端子と前記第２ＤＣＤＣコンバータの一端側との間に接続された第２抵抗と、接地電位から前記負荷接続ノードにかけて順次直列に接続された前記バッテリ及びバッテリモニタ抵抗と、前記第１外部機器の電源仕様に関する情報及び前記第２外部機器の電源仕様に関する情報を保持する外部機器情報保持部と、を備えたモバイル機器を制御する制御回路であって、前記制御回路は、前記第１ＤＣＤＣコンバータの制御端子、前記第１抵抗の両端、前記第２ＤＣＤＣコンバータの制御端子、前記第２抵抗の両端、及び、前記バッテリモニタ抵抗の両端にそれぞれ接続されるものであり、前記外部機器情報保持部から前記第１外部機器の電源仕様に関する情報を参照し、前記第１抵抗の両端の電位に基づいて前記第１ＤＣＤＣコンバータの一端側における電流及び電圧を検出し、前記バッテリモニタ抵抗の両端のうち少なくとも一方の端の電位に基づいてバッテリ電圧を検出し、前記第１外部機器の電源仕様に関する情報、前記第１ＤＣＤＣコンバータの一端側における電流及び電圧、並びに前記バッテリ電圧に基づいて第１制御信号を生成し、該第１制御信号を前記第１ＤＣＤＣコンバータの制御端子に対して送出するとともに、前記外部機器情報保持部から前記第２外部機器の電源仕様に関する情報を参照し、前記第２抵抗の両端の電位に基づいて前記第２ＤＣＤＣコンバータの一端側における電流及び電圧を検出し、前記バッテリモニタ抵抗の両端のうち少なくとも一方の端の電位に基づいて前記バッテリ電圧を検出し、前記第２外部機器の電源仕様に関する情報、前記第２ＤＣＤＣコンバータの一端側における電流及び電圧、並びに前記バッテリ電圧に基づいて第２制御信号を生成し、該第２制御信号を前記第２ＤＣＤＣコンバータの制御端子に対して送出するものである、ことを特徴とする。
【図面の簡単な説明】
【００３３】
【図１】実施形態１に係るモバイル機器１を説明するために示す図である。
【図２】実施形態１に係るモバイル機器１と外部機器との接続態様を説明するために示す模式図である。
【図３】実施形態２に係るモバイル機器２を説明するために示す図である。
【図４】実施形態２に係るモバイル機器２の第１動作態様を説明するために示す図である。
【図５】実施形態２に係るモバイル機器２の第２動作態様を説明するために示す図である。
【図６】実施形態２に係るモバイル機器２の第３動作態様を説明するために示す図である。
【図７】実施形態２に係るモバイル機器２の第４動作態様を説明するために示す図である。
【図８】従来のモバイル機器９００を説明するために示す図である。
【発明を実施するための形態】
【００３４】
以下、本発明のモバイル機器及び制御回路を図に示す実施形態に基づいて詳細に説明する。
【００３５】
［実施形態１］
１．実施形態１に係るモバイル機器１の基本構成
図１は、実施形態１に係るモバイル機器１を説明するために示す図である。
実施形態１に係るモバイル機器１は、図１に示すように、接続される第１外部機器７００に対応するように第１コネクタ１１０、第１ＤＣＤＣコンバータ１２０及び第１抵抗１４０を備える。同様に、接続される第２外部機器８００に対応するように第２コネクタ２１０、第２ＤＣＤＣコンバータ２２０及び第２抵抗２４０を備える。さらに、制御部４００、外部機器情報保持部５００、バッテリモニタ抵抗３５０を備える。
モバイル機器１は、一般に移動可能な機器で、図１に示すように内蔵されたバッテリ３００に蓄えられた電力によって負荷接続ノードＮＤ１に接続された負荷Ｌを動作させることが可能な機器である。もっとも、バッテリ３００に蓄えられた電力を頼りに適宜移動しながら使用するだけではなく、固定的な電源（外部電源）から与えられた電力によって動作する機能を有していてもよい。モバイル機器１としては、例えば、ＰＣ（Personal Computor）、携帯電話、スマートフォン、タブレット端末、ゲーム機、ＧＰＳ（Global Positioning System）端末、モバイルバッテリ等を挙げることができる。
負荷Ｌとしては、例えば、プロセッサ、通信回路・入出力回路等の各種周辺回路、補助記憶装置、撮像素子、表示パネル、スピーカ、ファン等を挙げることができる。
第１外部機器７００及び第２外部機器８００は、モバイル機器１に対しＤＣ電力を給電又は受電することができる機器であれば如何なる機器であってもよい。外部機器としては、例えば、自らのモバイル機器１とは異なる他のＰＣ，携帯電話，スマートフォン，タブレット端末，ゲーム機，ＧＰＳ端末，モバイルバッテリ等を挙げることができる。また、ディスプレイモニタ、ＡＣ（Alternating Current）アダプタ等も外部機器として挙げることができる。
【００３６】
第１コネクタ１１０は、第１外部機器７００に至る第１ケーブル７１０が接続される。第１コネクタ１１０は、第１ケーブル７１０に含まれるＤＣ電源線７１２が接続される第１電源端子１１２を少なくとも有する。
ここでの第１コネクタ１１０は、典型的にはレセプタクル型コネクタである。しかし、プラグ型コネクタであってもよい。また、ここでの第１コネクタ１１０は、例えば、ＵＳＢ規格に準拠したコネクタであってもよいし、各種携帯電話，スマートフォン等の接続コネクタであってもよいし、一般的な従来型のＡＣアダプタのプラグを受けるコネクタであってもよい。上記は第２コネクタ２１０（後述する。）も同様である。
また、第１電源端子１１２は、電気的接続を行う際に中継を行うことができる部材であれば、ソケット型、ピン型、平型等の何れのものでもよく、接続原理、端子形状等は問わない。後述する第１接地端子１１６、第１制御端子１１４、第２電源端子２１２、第２接地端子２１６及び第２制御端子２１４も同様である。
【００３７】
第１ＤＣＤＣコンバータ１２０は、その一端側が第１コネクタ１１０側に接続され、その他端側が負荷接続ノードＮＤ１に接続されている。第１ＤＣＤＣコンバータ１２０は、一端側と他端側との間でＤＣＤＣ変換を行う。
ここで、ＤＣＤＣ変換とは、一端側と他端側との間で電圧の変換を行うことをいい、具体的には一端側と他端側との間で電圧を下げること（降圧）又は電圧を上げること（昇圧）をいう。このような機能を有するのであれば、実施形態１における第１ＤＣコンバータは、いかなる構成で実現してもよい。後述する第２ＤＣＤＣコンバータ２２０も同様である。
一例として、第１ＤＣＤＣコンバータ１２０及び第２ＤＣＤＣコンバータ２２０は、それぞれ、コイル１０の一端側に第１高電位側スイッチ１１及び第１低電位側スイッチ１２が接続され、コイル１０の他端側に第２高電位側スイッチ１３及び第２低電位側スイッチ１４が接続された昇降圧型のＤＣＤＣ変換回路で構成してもよい《図１及び図３（後述する。）参照。》。
【００３８】
第１抵抗１４０は、第１コネクタ１１０の第１電源端子１１２と第１ＤＣＤＣコンバータ１２０の一端側との間に接続されている。
【００３９】
第２コネクタ２１０は、第２外部機器８００に至る第２ケーブル８１０が接続される。第２コネクタ２１０は、第２ケーブル８１０に含まれるＤＣ電源線８１２が接続される第２電源端子２１２を少なくとも有する。
第２ＤＣＤＣコンバータ２２０は、その一端側が第２コネクタ２１０側に接続され、その他端側が負荷接続ノードＮＤ１に接続されている。第２ＤＣＤＣコンバータ２２０は、一端側と他端側との間でＤＣＤＣ変換を行う。
第２抵抗２４０は、第２コネクタ２１０の第２電源端子２１２と第２ＤＣＤＣコンバータ２２０の一端側との間に接続されている。
【００４０】
バッテリ３００及びバッテリモニタ抵抗３５０は、接地電位ＧＮＤから負荷接続ノードＮＤ１にかけて順次直列に接続されている。なお、ここでのバッテリ３００は、放電及び充電が可能なものをいい、いわゆる二次電池がこれに該当する。
バッテリモニタ抵抗３５０は、バッテリ３００に対し充電又は放電される際の電流を検出するために用いられる。また、バッテリモニタ抵抗３５０の両端のうち少なくとも一方の端の電位を測定することによりバッテリ電圧を把握することができる。
【００４１】
制御部４００は、第１ＤＣＤＣコンバータ１２０の制御端子１２２、第１抵抗１４０の両端、第２ＤＣＤＣコンバータ２２０の制御端子２２２、第２抵抗２４０の両端、及び、バッテリモニタ抵抗３５０の両端にそれぞれ接続されている。
実施形態１における制御部４００は、後述する所定の機能を実現することができるものであれば如何なるものであってもよい。例えば、プロセッサ、コントローラ等及びこれらのハードウェアと共に協働するプログラムによって制御部４００を実現してもよい。また、総てをハードウェア（ハードウェアロジック等）によって制御部４００を実現してもよい。
【００４２】
２．外部機器情報保持部５００
外部機器情報保持部５００は、第１外部機器７００の電源仕様に関する情報ＩＮＦ１及び第２外部機器の電源仕様８００に関する情報ＩＮＦ２を保持する。
実施形態１における外部機器情報保持部５００は、制御部４００が参照できるものであれば如何なるデバイスで実現してもよい。例えば、外部機器情報保持部５００として、マイコン、プロセッサ、コントローラ等の内部メモリを用いてもよいし、外部メモリを用いてもよいし、補助記憶装置を用いてもよい。
【００４３】
第１外部機器の電源仕様に関する情報ＩＮＦ１には、第１外部機器７００が給電側となるか受電側となるかの別の情報が含まれる。また、第１外部機器７００が給電側となる場合における出力電圧及び電流供給能力（電流容量など）の情報が含まれる。さらに、第１外部機器７００が受電側となる場合における入力電圧（定格電圧など）及び第１外部機器７００が動作する上で必要な電流（使用必須電力から導かれる電流）の情報が含まれる。
同様に、第２外部機器の電源仕様に関する情報ＩＮＦ２には、第２外部機器８００が給電側となるか受電側となるかの別の情報が含まれる。また、第２外部機器８００が給電側となる場合における出力電圧及び電流供給能力（電流容量など）の情報が含まれる。さらに、第２外部機器８００が受電側となる場合における入力電圧（定格電圧など）及び第２外部機器８００が動作する上で必要な電流（使用必須電力から導かれる電流）の情報が含まれる。
第１外部機器７００又は第２外部機器８００が給電側となるか受電側となるかの別の情報としては、例えば、Ｓｏｕｃｅ（給電側）／Ｓｉｎｋ（受電側）といったバリエーションで情報を持たせることができる。また、出力電圧又は入力電圧の情報としては、例えば、ＤＣ５Ｖ／９Ｖ／１５Ｖ／２０Ｖといったバリエーションで情報を持たせることができる。なお、これらに示したバリエーションは一例であり、これに限定されるものではない。
【００４４】
一般に、外部機器が固定的に接続される場合には、既に把握している当該外部機器の電源仕様に関する情報を、第１外部機器の電源仕様に関する情報ＩＮＦ１又は第２外部機器の電源仕様に関する情報ＩＮＦ２として、何等かの方法で外部機器情報保持部５００に格納しておくことができる。
例えば、モバイル機器の付属品として同梱されている充電ステーション、ＡＣアダプタ等（以下、付属品という。）を第１外部機器７００又は第２外部機器８００として適用する場合がある。この場合、付属品の電源仕様は事前に把握できているので、そのような電源仕様に関する情報を何等かの方法で、第１外部機器の電源仕様に関する情報ＩＮＦ１又は第２外部機器の電源仕様に関する情報ＩＮＦ２として、外部機器情報保持部５００に予め格納しておく。具体的には、モバイル機器を出荷する際に、当該付属品が給電側となる旨、付属品の出力電圧（定格電圧）、付属品の電流供給能力（電流容量）、付属品の供給可能電力等の情報を、モバイル機器に内蔵された不揮発性メモリに書き込んで格納しておく等の方法が考えられる。
また、電力授受を行う前に、外部機器と予備的な通信を行って、外部機器の電源仕様に関する情報を取得して、外部機器情報保持部５００にかかる情報を格納してもよい。
【００４５】
３．制御部４００及びＤＣＤＣコンバータ
（１）制御部４００は次に挙げる機能を少なくとも有している。
バッテリモニタ抵抗３５０の両端のうち少なくとも一方の端の電位に基づいてバッテリ電圧を検出する機能。なお、バッテリ電圧は、バッテリモニタ抵抗３５０の少なくとも一方の端を制御部４００と接続し、制御部４００内部においてかかる端の電位を測定することによって検出する。なお、下記（３）においても同様である。
外部機器情報保持部５００から第１外部機器の電源仕様に関する情報ＩＮＦ１を参照する機能。
第１抵抗１４０の両端の電位に基づいて第１ＤＣＤＣコンバータ１２０の一端側における電流及び電圧を検出する機能。なお、第１ＤＣＤＣコンバータ１２０の一端側における電流及び電圧は、第１抵抗１４０の両端を制御部４００と接続し、制御部４００においてそれぞれの端の電位を測定することによって検出することができる。なお、下記第２抵抗２４０における電位の検出も同様に行うことができる。
上記で把握した第１外部機器の電源仕様に関する情報ＩＮＦ１、第１ＤＣＤＣコンバータ１２０の一端側における電流及び電圧、並びにバッテリ電圧に基づいて第１制御信号を生成する機能。
第１制御信号を第１ＤＣＤＣコンバータ１２０の制御端子１２２に対して送出する機能。
（２）第１ＤＣＤＣコンバータ１２０は、上記第１制御信号を受ける。第１ＤＣＤＣコンバータ１２０は、この第１制御信号に基づき一端側又は他端側から入力したＤＣ電力を変換して他端側又は一端側に出力する。
（３）（１）と同様に制御部４００は次に挙げる機能を少なくとも有している。
バッテリモニタ抵抗３５０の両端のうち少なくとも一方の端の電位に基づいてバッテリ電圧を検出する機能。なお、ここでは上記（１）において検出したバッテリ電圧を援用してもよい。
外部機器情報保持部５００から第２外部機器の電源仕様に関する情報ＩＮＦ２を参照する機能。
第２抵抗２４０の両端の電位に基づいて第２ＤＣＤＣコンバータ２２０の一端側における電流及び電圧を検出する機能。
上記で把握した第２外部機器の電源仕様に関する情報ＩＮＦ２、第２ＤＣＤＣコンバータ２２０の一端側における電流及び電圧、並びにバッテリ電圧に基づいて第２制御信号を生成する機能。
第２制御信号を第２ＤＣＤＣコンバータ２２０の制御端子２２２に対して送出する機能。
（４）第２ＤＣＤＣコンバータ２２０は、上記第２制御信号を受ける。第２ＤＣＤＣコンバータ２２０は、この第２制御信号に基づき一端側又は他端側から入力したＤＣ電力を変換して他端側又は一端側に出力する。
【００４６】
また、制御部４００は、第１ＤＣＤＣコンバータ１２０又は第２ＤＣＤＣコンバータ２２０の出力電圧（ＤＣＤＣ変換後の電圧）に相当する時間幅を有するパルスを出力するＰＷＭ出力手段（図示を省略。）を備えている。こうしたＰＷＭ出力手段を活用して、制御部４００は、第１制御信号及び第２制御信号を生成する。
制御部４００が出力する第１制御信号は、例えば、第１ＤＣＤＣコンバータ１２０が有する第１高電位側スイッチ１１、第１低電位側スイッチ１２、第２高電位側スイッチ１３及び第２低電位側スイッチ１４に対する開閉のタイミングを規定することによって、コイル１０に給電するパルスのデューティ比を規定する制御信号として生成してもよい。
同様に、制御部４００が出力する第２制御信号は、第２ＤＣＤＣコンバータ２２０が有する第１高電位側スイッチ１１、第１低電位側スイッチ１２、第２高電位側スイッチ１３及び第２低電位側スイッチ１４に対する開閉のタイミングを規定することによって、コイル１０に給電するパルスのデューティ比を規定する制御信号として生成してもよい。
【００４７】
４．実施形態１に係るモバイル機器１の作用・効果
（１）外部機器との電力授受の柔軟性、大電力の受け取り、バッテリ高速充電
実施形態１に係るモバイル機器１は、第１外部機器の電源仕様に関する情報ＩＮＦ１及び第２外部機器の電源仕様に関する情報ＩＮＦ２を保持する外部機器情報保持部５００を備えている。また、制御部４００は、バッテリモニタ抵抗３５０の両端のうち少なくとも一方の端の電位に基づいてバッテリ電圧を検出し、更に、外部機器情報保持部５００から第１外部機器の電源仕様に関する情報ＩＮＦ１を参照し、第１抵抗１４０の両端の電位に基づいて第１ＤＣＤＣコンバータ１２０の一端側における電流及び電圧を検出し、第１外部機器の電源仕様に関する情報ＩＮＦ１、第１ＤＣＤＣコンバータ１２０の一端側における電流及び電圧、並びにバッテリ電圧に基づいて第１制御信号を生成し、該第１制御信号を第１ＤＣＤＣコンバータ１２０の制御端子１２２に対して送出する。また、制御部４００は、外部機器情報保持部５００から第２外部機器の電源仕様に関する情報ＩＮＦ２を参照し、第２抵抗２４０の両端の電位に基づいて第２ＤＣＤＣコンバータ２２０の一端側における電流及び電圧を検出し、第２外部機器の電源仕様に関する情報ＩＮＦ２、第２ＤＣＤＣコンバータ２２０の一端側における電流及び電圧、並びにバッテリ電圧に基づいて第２制御信号を生成し、該第２制御信号を第２ＤＣＤＣコンバータ２２０の制御端子２２２に対して送出する。第１ＤＣＤＣコンバータ１２０は、一端側又は他端側から入力したＤＣ電力を第１制御信号に基づき変換して、他端側又は一端側に出力する。第２ＤＣＤＣコンバータ２２０は、一端側又は他端側から入力したＤＣ電力を第２制御信号に基づき変換して、他端側又は一端側に出力する。
【００４８】
上記のような構成となっているため、モバイル機器１は以下のような動作をする。
一例として、第１コネクタ１１０、第１ＤＣＤＣコンバータ１２０及び第１抵抗１４０からなる「第１回路系統１００（符号による図示は省略。以下、同様。）」が、受電モードで動作する場合の第１回路系統に焦点を絞って、以下に動作の説明を続ける。
【００４９】
外部機器情報保持部５００には、第１外部機器７００が給電側となるか受電側となるかの別の情報、出力電圧に関する情報（定格電圧等）、電流又は電力に関する情報（定格電流等）が保持されている。
制御部４００は、外部機器情報保持部５００から第１外部機器の電源仕様に関する情報ＩＮＦ１を参照する。制御部４００は、これを参照することにより、例えば第１外部機器７００が給電側であること、第１外部機器の出力電圧（定格電圧）及び定格電流を把握する。
また、制御部４００は、バッテリモニタ抵抗３５０の両端のうち少なくとも一方の端の電位を測定し、これ基づいてバッテリ電圧を検出する。
また、制御部４００は、第１抵抗１４０の両端の電位を測定し、両端の電位の差に基づいて第１ＤＣＤＣコンバータ１２０の一端側における電流を検出する。併せて、第１ＤＣＤＣコンバータ１２０の一端側における電圧を検出する。第１抵抗１４０の第１ＤＣＤＣコンバータ１２０側の電圧を検出してもよいし、第１コネクタ１１０側の電圧を検出してもよい。
そして、制御部４００は、第１外部機器の電源仕様に関する情報ＩＮＦ１、第１ＤＣＤＣ１２０コンバータの一端側における電流及び電圧、並びにバッテリ電圧に基づいて第１制御信号を生成する。具体的には、第１外部機器７００の出力電圧（定格電圧）とバッテリ電圧とを比較し、第１外部機器７００の出力電圧がバッテリ電圧よりも高い場合には、制御部４００は、一端側から他端側にかけて降圧するように第１ＤＣＤＣコンバータを動作させる第１制御信号を生成する。なお、他端側に出力されるべき電圧（すなわち「負荷接続ノードＮＤ１に出力されるべき電圧」）は、検出されたバッテリ電圧を考慮しながら設定される。
制御部４００が生成し出力した第１制御信号は、第１ＤＣＤＣコンバータ１２０の制御端子１２２に入力される。第１ＤＣＤＣコンバータ１２０は、この第１制御信号に基づき、一端側から入力したＤＣ電力をＤＣＤＣ変換（ここでは降圧）して、他端側の負荷接続ノードＮＤ１に出力する。
【００５０】
第２コネクタ２１０、第２ＤＣＤＣコンバータ２２０及び第２抵抗２４０からなる「第２回路系統２００（符号による図示は省略。以下、同様。）」が、受電モードで動作する場合も、上記と同様である。
外部機器情報保持部５００には、第２外部機器８００が給電側となるか受電側となるかの別の情報、出力電圧に関する情報（定格電圧等）、電流又は電力に関する情報（定格電流等）が保持されている。
制御部４００は、外部機器情報保持部５００から第２外部機器の電源仕様に関する情報ＩＮＦ２を参照する。制御部４００は、これを参照することにより、例えば第２外部機器８００が給電側であること、第２外部機器８００の出力電圧（定格電圧）及び定格電流を把握する。
また、制御部４００は、第２抵抗２４０の両端の電位を測定し、両端の電位の差に基づいて第２ＤＣＤＣコンバータ２２０の一端側における電流を検出する。併せて、第２ＤＣＤＣコンバータ２２０の一端側における電圧を検出する。第２抵抗２４０の第２ＤＣＤＣコンバータ２２０側の電圧を検出してもよいし、第２コネクタ２１０側の電圧を検出してもよい。
そして、制御部４００は、第２外部機器の電源仕様に関する情報ＩＮＦ２、第２ＤＣＤＣコンバータ２２０の一端側における電流及び電圧、並びにバッテリ電圧に基づいて第２制御信号を生成する。具体的には、例えば第２外部機器８００の出力電圧（定格電圧）とバッテリ電圧とを比較し、第２外部機器８００の出力電圧がバッテリ電圧よりも高い場合には、制御部４００は、一端側から他端側にかけて降圧するように第２ＤＣＤＣコンバータ２２０を動作させる第２制御信号を生成する。なお、他端側に出力されるべき電圧（すなわち「負荷接続ノードＮＤ１に出力されるべき電圧」）は、検出されたバッテリ電圧を考慮しながら設定される。
制御部４００が生成し出力した第２制御信号は、第２ＤＣＤＣコンバータ２２０の制御端子２２２に入力される。第２ＤＣＤＣコンバータ２２０は、この第２制御信号に基づき、一端側から入力したＤＣ電力をＤＣＤＣ変換（ここでは降圧）して、他端側の負荷接続ノードＮＤ１に出力する。
なお、バッテリ電圧は上記第１回路系統の制御を行う際にバッテリ電圧を検出したのでこれを転用してもよいし、改めて検出してもよい。
【００５１】
こうして、第１回路系統１００及び第２回路系統２００は、検出したバッテリ電圧に基づいて設定された「負荷接続ノードＮＤ１に出力すべき電圧」を共通の目標として、それぞれが、第１外部機器の電源仕様に関する情報ＩＮＦ１及び第２外部機器の電源仕様に関する情報ＩＮＦ２を参照しながら独立してＤＣＤＣ変換を行う。このため、第１回路系統１００から出力される電圧と第２回路系統２００から出力される電圧とは実質的に同じ電圧に揃えられ、これらが負荷接続ノードＮＤ１において合わせられる（マージされる）。すなわち、第１回路系統１００からの電力及び第２回路系統２００からの電力が集約されて負荷接続ノードに供給される。
【００５２】
このため、出力電圧が互いに異なっている第１外部機器７００及び第２外部機器８００を、同時に第１コネクタ１１０及び第２コネクタ２１０にそれぞれ接続することができる。よって、従来のモバイル機器に比べ、外部機器との電力授受の柔軟性が高いモバイル機器を提供することができる。
【００５３】
また、実施形態１に係るモバイル機器１は、第１外部機器７００及び第２外部機器８００から受け取った電力を、同時並行的に負荷接続ノードＮＤ１へ供給することができる。このため、従来のモバイル機器に比べ、大きな電力を受け取ることが可能となる。ひいては内蔵バッテリを高速充電することが可能となる。
【００５４】
これに関連して、近年、負荷を動作させながらバッテリ充電を行うという動作態様をとることが多いモバイル機器も増加している。例えば、ＰＣ、携帯電話、スマートフォン、タブレット端末等が挙げられる。モバイル機器がこのような動作態様をとる場合、ＤＣ電力の受け取りが１系統（１ポート）からのみであると、それ相応の電力量しか確保できない。もし、一時的にモバイル機器内部の負荷において大きな電力が必要となった場合、バッテリへの充電は一旦中断しておき、むしろ、バッテリから放電して負荷が必要な電力を補うという動作をとることもある。そうすると、結果的にバッテリ充電時間が間延びしてしまうことになってしまう。
一方、実施形態１に係るモバイル機器１においては、２系統（ポート）以上から同時並行的にＤＣ電力を受け取ることができ、１系統（ポート）よりも大きなＤＣ電力の受け取りが可能となる。したがって、負荷を動作させながらバッテリ充電、又は、バッテリ充電しながら負荷を動作させることも可能となり、上記のようなバッテリ充電時間の間延びも抑えられ、高速充電に資することができる。
【００５５】
また、実施形態１に係るモバイル機器１は、第１外部機器７００の入力電圧と「負荷接続ノードＮＤ１に出力されるべき電圧」との間の電圧差を勘案してＤＣＤＣ変換を行うため、負荷接続ノードＮＤ１に出力されるべき電圧とは異なる電圧を出力している外部機器についても、柔軟に、当該モバイル機器に接続することができる。
【００５６】
（２）互いに異なる電圧をもつ複数の外部機器の接続
実施形態１に係るモバイル機器１は、第１外部機器７００から出力又は入力される第１ＤＣ電圧と、第２外部機器８００から出力又は入力される第２ＤＣ電圧と、は互いに異なる電圧であり、且つ、第１ＤＣ電圧とバッテリ電圧とは互いに異なる電圧であり、且つ、第２ＤＣ電圧とバッテリ電圧とは互いに異なる電圧である場合であっても、第１コネクタ１１０、第１ＤＣＤＣコンバータ１２０及び第１抵抗１４０からなる第１回路系統１００、並びに、第２コネクタ２１０、第２ＤＣＤＣコンバータ２２０及び第２抵抗２４０からなる第２回路系統２００は互いに並行して動作するものである。
【００５７】
実施形態１に係るモバイル機器１は、このような構成となっているため、複数の外部機器から出力又は入力されるＤＣ電圧が互いに同一の電圧でなくても、これら複数の外部機器を当該モバイル機器１に接続することができる。且つまた、複数の外部機器から出力又は入力されるＤＣ電圧が、モバイル機器１で用いる電圧（ここではバッテリ電圧）と同一の電圧でなくても、これら複数の外部機器を当該モバイル機器１に接続することができる。したがって、従来のモバイル機器に比べ、外部機器との電力授受の柔軟性が高いモバイル機器を提供することができる。
また、第１回路系統１００及び第２回路系統２００は互いに並行して動作するので、従来のモバイル機器に比べ、大きな電力を受け取ることが可能である。ひいては、内蔵バッテリを高速充電することが可能なモバイル機器を提供することができる。
なお、実施形態１に係るモバイル機器１は、出力又は入力されるＤＣ電圧が互いに同一の電圧となる関係の複数の外部機器が接続されてもよい。また、モバイル機器１で用いる電圧（例えばバッテリ電圧）と同一の電圧を出力又は入力する外部機器が接続されてもよい。
【００５８】
（３）受電／給電の柔軟性
実施形態１に係るモバイル機器１において、第１コネクタ１１０、第１ＤＣＤＣコンバータ１２０及び第１抵抗１４０からなる第１回路系統１００は、該第１回路系統１００に接続される第１外部機器７００における給電側及び受電側の別による役割に応じて、受電モード又は給電モードの動作を行う。また、第２コネクタ２１０、第２ＤＣＤＣコンバータ２２０及び第２抵抗２４０からなる第２回路系統２００は、該第２回路系統２００に接続される第２外部機器８００における給電側及び受電側の別による役割に応じて、受電モード又は給電モードの動作を行う。
【００５９】
実施形態１に係るモバイル機器１は、このような構成となっているため、それぞれの回路系統１００，２００に接続されるそれぞれの外部機器７００，８００が、給電側の役割で動作するか／受電側の役割で動作するかの別に依らず、外部機器７００，８００をモバイル機器１に接続することができる。
【００６０】
図２は、実施形態１に係るモバイル機器１と外部機器との接続態様を説明するために示す模式図である。図２（ａ）は、第１外部機器７００及び第２外部機器８００の総てを給電側としてモバイル機器１に接続する場合の第１接続態様を示す。図２（ｂ）は、第１外部機器７００ａを給電側としてモバイル機器１に接続し、第２外部機器８００ａを受電側としてモバイル機器１に接続する場合の第２接続態様を示す。図２（ｂ）に示すように例えば第１回路系統１００はディスプレイモニタ（第１外部機器７００ａ）より電力を受け取って、バッテリ３００を充電しつつ負荷Ｌを動作させ、並行して、第２回路系統２００はデジタル・スチル・カメラ（第２外部機器８００ａ）に電力を伝送させている。図２（ｃ）は、第１外部機器７００ｂ及び第２外部機器８００ｂの総てを受電側としてモバイル機器１に接続する場合の第３接続態様を示す。
【００６１】
上記したように各回路系統１００，２００は、接続された外部機器７００，８００の役割に応じて、互いに独立して受電モード又は給電モードによる動作を行うものである。このため、図２（ａ）〜図２（ｃ）に示すように、接続する複数の外部機器の総てを給電側とすることもできるし、総てを受電側とすることもできるし、一部の外部機器を給電側とし残余の外部機器を受電側とすることもできる。
このように、実施形態１にかかるモバイル機器１は、外部機器と様々な接続態様をとることができることから、従来のモバイル機器に比べ、外部機器との電力授受の柔軟性が高いモバイル機器を提供することができる。
【００６２】
（４）安全性が高い状況での電力授受
実施形態１に係るモバイル機器１において、制御部４００は、外部機器情報保持部５００から第１外部機器の電源仕様に関する情報ＩＮＦ１を参照し、第１抵抗１４０の両端の電位に基づいて第１ＤＣＤＣコンバータ１２０の一端側における電流及び電圧を検出し、そして、第１外部機器の電源仕様に関する情報ＩＮＦ１、第１ＤＣＤＣコンバータ１２０の一端側における電流及び電圧に基づいて第１制御信号を生成する。
このような構成となっているため、例えば、第１回路系統１００が受電モードで動作しているとき、制御部４００は、第１ＤＣＤＣコンバータ１２０の一端側における電流（第１抵抗１４０に流れる電流）をモニタリングし、当該第１抵抗１４０に流れる電流が第１外部機器の電源仕様に関する情報ＩＮＦ１として保持されている定格電流を上回らないよう監視することができる。仮にこれを上回るときには、第１外部機器７００から引き込むＤＣ電力の量を抑えるような第１制御信号を生成して、ＤＣＤＣ変換を行うよう制御することができる。
第１回路系統が給電モードで動作しているときも、同様の手法により、第１外部機器とモバイル機器との間で授受するＤＣ電力の量を調整することができる。また、第２回路系統についても同様である。
このようにして、実施形態１に係るモバイル機器１によれば、従来のモバイル機器に比べ、より安全性が高い状況で電力授受を行うことができる。
【００６３】
［実施形態２］
１．実施形態２に係るモバイル機器２の構成
図３は、実施形態２に係るモバイル機器２を説明するために示す図である。
実施形態２に係るモバイル機器２は、基本的には実施形態１に係るモバイル機器１と同様の構成を有するが、外部機器との間で制御線を用いた通信を行う点、第１コネクタ１１０と第１抵抗１４０との間に第１スイッチ１６０を設けた点、及び、第２コネクタ２１０と第２抵抗２４０との間に第２スイッチ２６０を設けた点において実施形態１に係るモバイル機器１とは異なる。
【００６４】
（１）インターフェース・コントローラ
実施形態２に係るモバイル機器２は、図３に示すように、制御線７１４（第１ケーブル７１０に含まれている）が接続される第１制御端子１１４が、第１コネクタ１１０において新たに設けられている。また、この第１制御端子１１４と接続され、第１外部機器７００（第１インターフェース・コントローラ１５０）と通信する機能を有する第１インターフェース・コントローラ１５０を更に備えている。制御線７１４，８１４（後述する。）は、通常のデータ線とは別の特別な制御用の線であってもよいし、通常のデータ線と兼用するものであってもよい。同様に、制御線８１４（第２ケーブル８１０に含まれている）が接続される第２制御端子２１４が、第２コネクタ２１０において新たに設けられている。また、この第２制御端子２１４と接続され、第２外部機器８００（第２インターフェース・コントローラ２５０）と通信する機能を有する第２インターフェース・コントローラ２５０を更に備えている。
第１インターフェース・コントローラ１５０は、所定のプロトコルを実行することにより、第１外部機器７００から第１外部機器の電源仕様に関する情報ＩＮＦ１を取得する。そして、第１インターフェース・コントローラ１５０は、取得した第１外部機器の電源仕様に関する情報ＩＮＦ１を、外部機器情報保持部５００に格納する。同様に、第２インターフェース・コントローラ２５０は、所定のプロトコルを実行することにより、第２外部機器８００から第２外部機器の電源仕様に関する情報ＩＮＦ２を取得する。そして、第２インターフェース・コントローラ２５０は、取得した第２外部機器の電源仕様に関する情報ＩＮＦ２を外部機器情報保持部５００に格納する。  
【００６５】
このように、第１インターフェース・コントローラ１５０は、制御線７１４を介した第１外部機器７００との所定のプロトコルによる通信により、第１外部機器の電源仕様に関する情報ＩＮＦ１を取得して、外部機器情報保持部５００に格納（更新）するため、これにより、新たな第１外部機器７００が第１コネクタ１１０に接続された場合にも、新たな第１外部機器７００の電源仕様に関する情報を用いて、ＤＣ電力の授受を行うことができる。
第２インターフェース・コントローラ２５０の作用についてもこれと同様である。
このようにして、実施形態２によれば、従来のモバイル機器に比べ、外部機器との電力授受の柔軟性が高いモバイル機器を提供することができる。
【００６６】
（２）USB Type-C規格及びUSB Power Delivery規格への準拠
実施形態２に係るモバイル機器２は、第１コネクタ１１０及び第２コネクタ２１０は、ＵＳＢ  Ｔｙｐｅ−Ｃ規格に準拠するものであり、第１コネクタ１１０の第１制御端子１１４及び第２コネクタ２１０の第２制御端子２１４は、ＵＳＢ  Ｔｙｐｅ−Ｃ規格におけるＣＣ線が接続される端子となっている。
モバイル機器２は、第１インターフェース・コントローラ１５０及び第２インターフェース・コントローラ２５０を更に備えている。
第１インターフェース・コントローラ１５０は、第１コネクタ１１０の第１制御端子１１４と接続され、第１コネクタ１１０に接続される第１外部機器７００と通信を行う。そして、第１インターフェース・コントローラ１５０は、ＵＳＢ  Ｐｏｗｅｒ  Ｄｅｌｉｖｅｒｙ規格に準拠したネゴシエーションを実行することにより、第１外部機器７００から第１外部機器の電源仕様に関する情報ＩＮＦ１を取得する。第１インターフェース・コントローラ１５０は、取得した第１外部機器の電源仕様に関する情報ＩＮＦ１を外部機器情報保持部５００に格納する。
同様に、第２インターフェース・コントローラ２５０は、第２コネクタ２１０の第２制御端子２１４と接続され、第２コネクタ２１０に接続される第２外部機器８００と通信を行う。第２インターフェース・コントローラ２５０は、ＵＳＢ  Ｐｏｗｅｒ  Ｄｅｌｉｖｅｒｙ規格に準拠したネゴシエーションを実行することにより、第２外部機器８００から第２外部機器の電源仕様に関する情報ＩＮＦ２を取得し、取得した第２外部機器の電源仕様に関する情報ＩＮＦ２を外部機器情報保持部５００に格納する。
なお、実施形態２においては、第１インターフェース・コントローラ１５０として、市販のＵＳＢ  Ｐｏｗｅｒ  Ｄｅｌｉｖｅｒｙ  Ｃｏｎｔｒｏｌｌｅｒを活用してもよい。制御部４００として市販のマイコン及びＢａｔｔｅｒｙ  Ｃｈａｒｇｅｒを活用してもよい。外部機器情報保持部５００として、制御部４００のマイコン及びＢａｔｔｅｒｙ  Ｃｈａｒｇｅｒの内部メモリを活用してもよい。
【００６７】
ＵＳＢ  Ｔｙｐｅ−Ｃ規格によれば、コネクタには電源線（ＶＢＵＳ線）とは別に制御線（ＣＣ線）が設定されている。したがって、上記（２）で説明したモバイル機器２を実現するに当たり、ＵＳＢ  Ｔｙｐｅ−Ｃ規格に準拠した第１コネクタ及び第２コネクタを導入することは、外部機器にとっても、当該モバイル機器にとっても、利便性が高いこととなる。
また、ＵＳＢ  Ｐｏｗｅｒ  Ｄｅｌｉｖｅｒｙ規格によれば、接続先の外部機器との間で実行されるネゴシエーションにおいて、接続先の外部機器の電源仕様に関する情報をやり取りすることができる。したがって、上記（２）で説明したモバイル機器２を実現するに当たり、ＵＳＢ  Ｐｏｗｅｒ  Ｄｅｌｉｖｅｒｙ規格に準拠したネゴシエーションを実行することは、外部機器にとっても、当該モバイル機器にとっても、利便性が高いこととなる。
さらに、外部機器がＵＳＢ  Ｔｙｐｅ−Ｃ規格及びＵＳＢ  Ｐｏｗｅｒ  Ｄｅｌｉｖｅｒｙ規格に準拠するものであれば、基本的には実施形態２に係るモバイル機器２と接続できる。このため、モバイル機器２を上記のように構成することによって接続先となる外部機器の選択肢が拡がることも期待できる。したがって、実施形態２によれば、従来のモバイル機器に比べ、外部機器との電力授受の柔軟性が高いモバイル機器を提供することができる。
【００６８】
（３）第１スイッチ１６０及び第２スイッチ２６０
実施形態２に係るモバイル機器２は、第１スイッチ１６０及び第２スイッチ２６０が更に設けられている。
第１スイッチ１６０は、第１コネクタ１１０の第１電源端子１１２と第１ＤＣＤＣコンバータ１２０の一端側との間に、第１抵抗１４０と直列に接続されている。同様に、第２スイッチ２６０は、第２コネクタ２１０の第２電源端子２１２と第２ＤＣＤＣコンバータ２２０の一端側との間に、第２抵抗２４０と直列に接続されている。
なお、第１スイッチ１６０と第１抵抗１４０の配置関係については、図３では第１スイッチ１６０が第１コネクタ１１０側に接続されており、第１抵抗１４０が第１ＤＣＤＣコンバータ１２０側に接続されている例を示している。しかし、実施形態２に係るモバイル機器２においては、この配置に限定されるものではない。上記配置と逆の配置としてもよい。また、第１電源端子１１２、第１スイッチ１６０、第１抵抗１４０及び第１ＤＣＤＣコンバータ２０のいずれか２つの間に別のデバイスが挿入されていても構わない。
この変形例については、第２スイッチ２６０に関しても同様である。
【００６９】
このように、第１回路系統１００には、第１コネクタ１１０と第１ＤＣＤＣコンバータ１２０の間に第１スイッチ１６０が設けられているため、第１回路系統１００において異常を検知した際には、第１スイッチ１６０をオフ（遮断）とする制御を行い、第１外部機器７００と第１ＤＣＤＣコンバータ１２０との間のＤＣ電力の授受を遮断することができる。
【００７０】
一例を示す。制御部４００が、第１抵抗１４０に流れる電流をモニタリングし、当該第１抵抗１４０に流れる電流が、第１外部機器の電源仕様に関する情報ＩＮＦ１として保持されている定格電流を上回らないよう監視する。仮に、第１抵抗１４０に流れる電流が該定格電流を上回るときには、制御部４００は第１スイッチ１６０をオフ（遮断）とする制御を行い、第１外部機器７００と第１ＤＣＤＣコンバータ１２０との間のＤＣ電力の授受を遮断する。第２回路系統２００のモニタリングと第２スイッチ２６０の制御についても同様に行う。
【００７１】
別の例を示す。図３に示すように、第１コネクタ１１０と第１スイッチ１６０との間の接続ノードと、制御部４００とを電気的に接続する。制御部４００は、第１外部機器の電源仕様に関する情報ＩＮＦ１（特に第１外部機器７００の出力電圧）を参照しつつ、当該接続ノードの電位を検出する。例えば、第１外部機器の電源仕様に関する情報ＩＮＦ１（特に第１外部機器７００の出力電圧）と、当該接続ノードの電位とが大きく乖離しているときには、第１回路系統１００において異常があるものと判断し、第１スイッチ１６０をオフ（遮断）とする制御を行い、第１外部機器７００と第１ＤＣＤＣコンバータ１２０との間のＤＣ電力の授受を遮断する。
具体的には例えば、第１外部機器の電源仕様に関する情報ＩＮＦ１によれば第１外部機器７００はＤＣ１５Ｖを供給可能な給電装置であった（定格電圧ＤＣ１５Ｖ）ところ、検出した当該接続ノードの電位がＤＣ１５Ｖよりも遥かに下回る電位であったり、遥かに上回る電位であったときには、第１外部機器７００の状態が正常ではないと判断して、第１スイッチ１６０をオフ（遮断）として、当該モバイル機器への電力取り込みを遮断する。一方、検出した当該接続ノードの電位が、定格電圧を中心に所定範囲以内の電位であった場合には、第１外部機器７００の状態が正常であると判断して、第１スイッチをオン（導通）として、当該モバイル機器への電力取り込みを開放（許可）することができる。
こうした構成をとることができるため、実施形態２に係るモバイル機器２は、より安全性が高い状況で、電力の授受を行うことができる。
【００７２】
（４）実施形態２に係るモバイル機器２において、第１高電位側スイッチ１１、第１低電位側スイッチ１２、第２高電位側スイッチ１３、第２低電位側スイッチ１４、第１スイッチ１６０及び第２スイッチ２６０は、パワーＭＯＳ−ＦＥＴで構成されている。
【００７３】
なお、実施形態２に係るモバイル機器２は、外部機器との間で制御線を用いた通信を行う点、第１コネクタ１１０と第１抵抗１４０との間に第１スイッチ１６０を設けた点、及び、第２コネクタ２１０と第２抵抗２４０との間に第２スイッチ２６０を設けた点以外の点においては、実施形態１に係るモバイル機器１と同様の構成を有する。そのため、実施形態１に係るモバイル機器１が有する効果のうち該当する効果を同様に有する
【００７４】
［実施形態２に係るモバイル機器２の動作態様］
実施形態２に係るモバイル機器２は上記した構成を有するので、接続先の外部機器の電圧についてその高／低、受電／給電の別が、様々なバリエーションをとったとしても、柔軟に意図した通りの電力授受を行うことができる。
実施形態２に係るモバイル機器２の動作態様の例を、以下に、図４〜図７を参照しながら説明する。
【００７５】
図４は、実施形態２に係るモバイル機器２の第１動作態様を説明するために示す図である。図５は、実施形態２に係るモバイル機器２の第２動作態様を説明するために示す図である。図６は、実施形態２に係るモバイル機器２の第３動作態様を説明するために示す図である。図７は、実施形態２に係るモバイル機器２の第４動作態様を説明するために示す図である。
【００７６】
第１動作態様は、図４に示すように、第１外部機器７００及び第２外部機器８００がそれぞれ給電側に立つ場合に、モバイル機器２側では、第１ＤＣＤＣコンバータ１２０が一端側から他端側にかけて降圧をし、第２ＤＣＤＣコンバータ２２０が一端側から他端側にかけて降圧をするという態様である。それぞれＤＣＤＣ変換された電圧が負荷接続ノードＮＤ１に出力されている。
例として、第１外部機器の電源仕様に関する情報ＩＮＦ１は、給電側である旨、電圧１５Ｖ、電流３Ａ等となっている。第２外部機器の電源仕様に関する情報ＩＮＦ２は、給電側である旨、電圧２０Ｖ、電流２．２５Ａ等となっている。「負荷接続ノードＮＤ１に出力されるべき電圧」は１０Ｖ、定格の入力電流は６Ａとしており、これを目安にそれぞれのＤＣＤＣコンバータはＤＣＤＣ変換を行う。
【００７７】
第２動作態様は、図５に示すように、第１外部機器７００及び第２外部機器８００がそれぞれ給電側に立つ場合に、モバイル機器２側では、第１ＤＣＤＣコンバータ１２０が一端側から他端側にかけて降圧をし、第２ＤＣＤＣコンバータ２２０が一端側から他端側にかけて昇圧をするという態様である。それぞれＤＣＤＣ変換された電圧が負荷接続ノードＮＤ１に出力されている。
例として、第１外部機器の電源仕様に関する情報ＩＮＦ１は、給電側である旨、電圧１５Ｖ、電流３Ａ等となっている。第２外部機器の電源仕様に関する情報ＩＮＦ２は、給電側である旨、電圧５Ｖ、電流３Ａ等となっている。「負荷接続ノードＮＤ１に出力されるべき電圧」は１０Ｖ、定格の入力電流は６Ａとしており、これを目安にそれぞれのＤＣＤＣコンバータはＤＣＤＣ変換を行う。
【００７８】
第３動作態様は、図６に示すように、第１外部機器７００が給電側に立ち、第２外部機器８００が受電側に立つ場合に、モバイル機器２側では、第１ＤＣＤＣコンバータ１２０が一端側から他端側にかけて降圧をし、第２ＤＣＤＣコンバータ２２０が他端側から一端側にかけて降圧をするという態様である。
例として、第１外部機器の電源仕様に関する情報ＩＮＦ１は、給電側である旨、電圧１５Ｖ、電流３Ａ等となっている。第２外部機器の電源仕様に関する情報ＩＮＦ２は、受電側である旨、電圧５Ｖ、電流３Ａ等となっている。負荷接続ノードＮＤ１からは、バッテリ３００側及び負荷Ｌ側に１０Ｖ・３Ａ（３０Ｗ）のＤＣ電力が分配され、第２外部機器８００側に１０Ｖ・１．５Ａ（１５Ｗ）のＤＣ電力が分配される例が示されている。
【００７９】
第４動作態様は、図７に示すように、第１外部機器７００が給電側に立ち、第２外部機器８００が受電側に立つ場合に、モバイル機器２側では、第１ＤＣＤＣコンバータ１２０が一端側から他端側にかけて降圧をし、第２ＤＣＤＣコンバータ２２０が他端側から一端側にかけて昇圧をするという態様である。
例として、第１外部機器の電源仕様に関する情報ＩＮＦ１は、給電側である旨、電圧２０Ｖ、電流３Ａ等となっている。第２外部機器の電源仕様に関する情報ＩＮＦ２は、受電側である旨、電圧１５Ｖ、電流１Ａ等となっている。負荷接続ノードＮＤ１からは、バッテリ３００側及び負荷Ｌ側に１０Ｖ・４．５Ａ（４５Ｗ）のＤＣ電力が分配され、第２外部機器８００側に１０Ｖ・１．５Ａ（１５Ｗ）のＤＣ電力が分配される例が示されている。
【００８０】
第５動作態様は、第１外部機器７００及び第２外部機器８００が受電側に立つ態様である（詳しい図示は省略。）。例えば、図２（ｃ）に示す接続態様のときにはこの第５動作態様となる。
【００８１】
以上において実施形態２に係るモバイル機器２を例に挙げて、幾つかの動作態様を説明したが、実施形態１に係るモバイル機器１についても、基本的に同様の動作態様をとることができ、実施形態２に係るモバイル機器２と同様の効果を奏する。
【００８２】
［実施形態３］
次に、実施形態３に係る制御回路４００’について、図１及び図３を参照しながら説明する。
実施形態３に係る制御回路４００’は、第１外部機器７００に至る第１ケーブル７１０が接続され、該第１ケーブル７１０に含まれるＤＣ電源線７１２が接続される第１電源端子１１２を少なくとも有する第１コネクタ１１０と、一端側が第１コネクタ１１０側に接続され他端側が負荷接続ノードＮＤ１に接続され、一端側と他端側との間でＤＣＤＣ変換を行う第１ＤＣＤＣコンバータ１２０と、第１コネクタ１１０の第１電源端子１１２と第１ＤＣＤＣコンバータ１２０の一端側との間に接続された第１抵抗１４０と、第２外部機器８００に至る第２ケーブル８１０が接続され、該第２ケーブル８１０に含まれるＤＣ電源線８１２が接続される第２電源端子２１２を少なくとも有する第２コネクタ２１０と、  一端側が第２コネクタ２１０側に接続され他端側が負荷接続ノードＮＤ１に接続され、一端側と他端側との間でＤＣＤＣ変換を行う第２ＤＣＤＣコンバータ２２０と、第２コネクタ２１０の第２電源端子２１２と第２ＤＣＤＣコンバータ２２０の一端側との間に接続された第２抵抗２４０と、接地電位から負荷接続ノードＮＤ１にかけて順次直列に接続されたバッテリ３００及びバッテリモニタ抵抗３５０と、第１外部機器７００の電源仕様に関する情報ＩＮＦ１及び第２外部機器８００の電源仕様に関する情報ＩＮＦ２を保持する外部機器情報保持部５００と、を備えたモバイル機器を制御する制御回路である。
【００８３】
この制御回路４００’は、第１ＤＣＤＣコンバータ１２０の制御端子１２２、第１抵抗１４０の両端、第２ＤＣＤＣコンバータ２２０の制御端子２２２、第２抵抗２４０の両端、及び、バッテリモニタ抵抗３５０の両端にそれぞれ電気的に接続される。
また、この制御回路４００’は、外部機器情報保持部５００から第１外部機器７００の電源仕様に関する情報ＩＮＦ１を参照し、第１抵抗１４０の両端の電位に基づいて第１ＤＣＤＣコンバータ１２０の一端側における電流及び電圧を検出し、バッテリモニタ抵抗３５０の両端のうち少なくとも一方の端の電位に基づいてバッテリ電圧を検出し、第１外部機器７００の電源仕様に関する情報ＩＮＦ１、第１ＤＣＤＣコンバータ１２０の一端側における電流及び電圧、並びにバッテリ電圧に基づいて第１制御信号を生成し、該第１制御信号を第１ＤＣＤＣコンバータ１２０の制御端子１２２に対して送出する。
これとともに、この制御回路４００’は、外部機器情報保持部５００から第２外部機器８００の電源仕様に関する情報ＩＮＦ２を参照し、第２抵抗２４０の両端の電位に基づいて第２ＤＣＤＣコンバータ２２０の一端側における電流及び電圧を検出し、バッテリモニタ抵抗３５０の両端のうち少なくとも一方の端の電位に基づいてバッテリ電圧を検出し、第２外部機器８００の電源仕様に関する情報ＩＮＦ２、第２ＤＣＤＣコンバータ２２０の一端側における電流及び電圧、並びにバッテリ電圧に基づいて第２制御信号を生成し、該第２制御信号を第２ＤＣＤＣコンバータ２２０の制御端子２２２に対して送出する。
【００８４】
第１ＤＣＤＣコンバータ１２０は、一端側又は他端側から入力したＤＣ電力を、第１制御信号に基づき変換して他端側又は一端側に出力することができる。第２ＤＣＤＣコンバータ２２０は、一端側又は他端側から入力したＤＣ電力を前記第２制御信号に基づき変換して、他端側又は一端側に出力することができる。
【００８５】
以上、本発明を上記の実施形態に基づいて説明したが、本発明は上記の実施形態に限定 されるものではない。その趣旨を逸脱しない範囲において実施することが可能であり、例 えば、次のような変形も可能である。
【００８６】
（１）上記実施形態において記載した構成要素の数、材質、形状、位置、大きさなどは例 示であり、本発明の効果を損なわない範囲において変更することが可能である。
【００８７】
（２）各実施形態の説明において、モバイル機器において回路系統を２系統備えた例を説明したが、モバイル機器に備える回路系統は２系統に限定されるものではない。それ以上の系統数を備えるものであってもよい。例えば、３系統、４系統と回路系統を備えているもの（すなわちコネクタが３つ、４つと備えているもの）であってもよい。
【００８８】
（３）各実施形態において、制御部４００は、第１回路系統１００及び第２回路系統２００のそれぞれに関与する１つのブラックボックスとして説明したが、これに限定されるものではない。第１回路系統１００に関する制御をサブ制御部４００ａ（図示を省略。）が行い、第２回路系統２００に関する制御をサブ制御部４００ｂ（図示を省略。）が行い、これらのサブ制御部４００ａ及び４００ｂが連携動作又は独立動作をするものであってもよい。
【符号の説明】
【００８９】
１，２，９００…モバイル機器、１０…コイル、１１…第１高電位側スイッチ、１２…第１低電位側スイッチ、１３…第２高電位側スイッチ、１４…第２低電位側スイッチ、２０，１２０…第１ＤＣＤＣコンバータ、１００…第１回路系統、１１０，９１０…第１コネクタ、１１２，９１２…第１電源端子、１１４…第１制御端子、１１６…第１接地端子、１２２…第１ＤＣＤＣコンバータの制御端子、１４０…第１抵抗、１５０…第１インターフェース・コントローラ、１６０…第１スイッチ、２００…第２回路系統、２１０，９２０…第２コネクタ、２１２，９２２…第２電源端子、２１４…第２制御端子、２１６…第２接地端子、２２０…第２ＤＣＤＣコンバータ、２２２…第２ＤＣＤＣコンバータの制御端子、２４０…第２抵抗、２５０…第２インターフェース・コントローラ、２６０…第２スイッチ、３００，９３０…バッテリ、３５０…バッテリモニタ抵抗、４００，９４０…制御部、４００'…制御回路、５００…外部機器情報保持部、７００，７００ａ，７００ｂ…第１外部機器、７１０…第１ケーブル、７１２，８１２…ＤＣ電源線、７１４，８１４…制御線、７１６，８１６…接地線、８００，８００ａ，８００ｂ…第２外部機器、８１０…第２ケーブル、９５０…ＤＣＤＣコンバータ、９６０…切替スイッチ
【図１】
2018110476.tif 000003
【図２】
2018110476.tif 000004
【図３】
2018110476.tif 000005
【図４】
2018110476.tif 000006
【図５】
2018110476.tif 000007
【図６】
2018110476.tif 000008
【図７】
2018110476.tif 000009
【図８】
2018110476.tif 000010